(57)【要約】【課題】  周壁の外周および内周に係止凸部や係止凹部を有していない安価でプレス成形によるひび割れが生じにくい安価な金属製の交換可能な化粧料皿を用いたクッション性に富むコンパクト容器を提供する。【解決手段】  収納凹部１１が形成された皿状の容器本体１と、化粧料３１を収納して保持部材２に着脱可能に収納された金属製の化粧料皿３と、化粧料皿３を収容、保持して容器本体１に装着、支持される皿状の保持部材２と、容器本体１の一部に蝶着されて容器本体１の収納凹部１１を開閉する蓋体５とからなるコンパクト容器において、保持部材２の互いに対向する一対の周壁の内面に化粧料皿３の頂面に係止する係止突起２４，２５が形成されているとともに保持部材２の互いに対向する一対の周壁の少なくとも一方の内面に収容される化粧料皿３における周壁の外周面を押圧する弾性突起２６を突出させた。【選択図】図１
2010246708.tif 000002
【特許請求の範囲】
【請求項１】
収納凹部が形成された皿状の容器本体と、化粧料を収納した金属製の化粧料皿と、前記化粧料皿を収容、保持して前記容器本体に装着、支持される皿状の保持部材と、前記容器本体の一部に蝶着されて前記容器本体の収納凹部を開閉する蓋体とからなるコンパクト容器において、前記保持部材の互いに対向する一対の周壁の内面に前記化粧料皿の頂面に係止する係止突部が形成されているとともに前記保持部材の互いに対向する一対の周壁の少なくとも一方の内面に前記収容される化粧料皿における周壁の外周面を押圧する弾性突起が突出されていることを特徴とするコンパクト容器。
【請求項２】
前記係止突起が突設されている保持部材の周壁にスリットが形成されていることを特徴とする請求項１記載のコンパクト容器。
【請求項３】
前記保持部材の底面に空隙部が形成されて底面が弾性を有することを特徴とする請求項１または２記載のコンパクト容器。
【請求項４】
前記保持部材の底面に弾性シートが敷設されていることを特徴とする請求項１，２または３記載のコンパクト容器。
【発明の詳細な説明】
【技術分野】
【０００１】
本発明は、コンパクト容器、特に、固形の化粧料を収納した化粧料皿が交換可能なコンパクト容器に関するものである。
【背景技術】
【０００２】
従来、収納凹部が形成された皿状の容器本体と、前記容器本体の収納凹部に装着、支持された枠状の保持部材と、化粧料を収納して前記保持部材に着脱可能に収納された化粧料皿と、前記容器本体の一部に蝶着されて前記容器本体の収納凹部を開閉する蓋体とからなる化粧料を収納した化粧料皿を交換可能としたコンパクト容器において、例えばコンパクト容器を落とした場合や、蓋体を強く閉じた場合或いは化粧料皿を強固に嵌合した場合などに、容器本体に加えられる大きな衝撃がそのまま中枠を介して化粧料皿に伝わり、化粧料皿に収納されている固化状態の化粧料が割れたり崩れたりすることがある。
【０００３】
そこで、衝撃による化粧料の損傷を防ぐ手段として、例えば特開２００４−８２８５号公報などに提示されているように、化粧料皿の保持部材への装着性を改善することによりクッション性を高めるものも提案されているが、製造過程で精度を要求されることから生産性に難点がある。
【０００４】
また、前述のようなコンパクト容器において使用される交換可能な化粧料皿は、保持部材への装着性を確実にするために化粧料を収納した化粧料皿の対向する周壁の外面に係止凸部（または係止凹部）を形成し、これらの突起を保持部材の周壁の内面に形成した係止凹部（または係止凸部）に係合する構成である。
【０００５】
ところで、前記交換可能な化粧料皿として金属製のものを用いた場合には合成樹脂製のものを用いた場合に比べて化粧料皿を強固に嵌合した場合などに生じるひび割れなどの発生は少ないが、従来の金属製の化粧料皿におけるの周壁の外面に形成する係止凸部（または係止凹部）を押型により形成する際に周壁の内面に凹部（または凸部）が出現することになり、化粧料皿に例えば粉末の化粧料を投入してブレス加工する際に、前記周壁の内面に出現している凹部（または凸部）の影響で化粧料皿内の化粧料に均一な圧力が掛からなくなり、成型された製品の密度分布が不均一となり強度が低下することになり、前記従来の衝撃に対処したコンパクト容器に使用したとしても衝撃や振動によってひび割れが生じることになる。また、金属製の化粧料皿においてプレス加工を用いずに係止凸部（または係止凹部）を形成するには例えば特開平９−２９９１３８号公報に提示されているように凸条を形成する必要があり、製造工程が複雑であるばかりか安価に提供することができないという問題がある。
【先行技術文献】
【特許文献】
【０００６】
【特許文献１】特開２００４−８２８５号公報
【特許文献２】特開平９−２９９１３８号公報
【発明の概要】
【発明が解決しようとする課題】
【０００７】
本発明は周壁の外周および内周に係止凸部や係止凹部を有していない安価でプレス成形によるひび割れが生じにくい安価な金属製の交換可能な化粧料皿を用いたクッション性に富むコンパクト容器を提供することを目的とする。
【課題を解決するための手段】
【０００８】
前記課題を解決するためになされた本発明は、収納凹部が形成された皿状の容器本体と、化粧料を収納して前記保持部材に着脱可能に収納された金属製の化粧料皿と、前記化粧料皿を収容、保持して前記容器本体に装着、支持される皿状の保持部材と、前記容器本体の一部に蝶着されて前記容器本体の収納凹部を開閉する蓋体とからなるコンパクト容器において、前記保持部材の互いに対向する一対の周壁の内面に前記化粧料皿の頂面に係止する係止突起が形成されているとともに前記保持部材の互いに対向する一対の周壁の少なくとも一方の内面に前記収容される化粧料皿における周壁の外周面を押圧する弾性突起が突出させることとした。
【０００９】
このように、保持部材の周壁の互いに対向する周壁にそれぞれ形成した係止突起により化粧料を収容した金属製の化粧料皿の頂面を係止して保持するとともに保持部材の少なくとも一方の周壁の内面に突出させた弾性突起により化粧料を収容した金属製の化粧料皿を弾性保持させるようにした本発明によれば、交換のために収納部に着脱される化粧料皿の外形寸法に対する寸法吸収性やクッション性が高められるばかりか、金属製の化粧料皿における周壁の外周および内周に係止凸部や係止凹部を有していない安価でプレス成形により成型された製品の密度分布が均一でひび割れが生じにくい安価な金属製の交換可能な化粧料皿を用いることが可能となる。
【００１０】
また、本発明において、前記保持部材の係止突起を形成した周壁にスリットを形成することによりその周壁をより柔軟な態勢を可能にして化粧料皿の脱着を無理なく行わせて脱着時の化粧料の更なる破損防止を図ることができ、更に、前記保持部材の底面に空隙部が形成されて底面が弾性を有する場合、前記保持部材の底面に弾性シートが敷設されている場合等には更に耐衝撃性を増すことができる。
【発明の効果】
【００１１】
本発明によれば、収納凹部が形成された皿状の容器本体と、化粧料を収納して前記中枠に着脱可能に収納された化粧料皿と、前記化粧料皿を収容、保持して前記容器本体に装着、支持される皿状の保持部材と、前記容器本体の一部に蝶着されて前記容器本体の収納凹部を開閉する蓋体とからなるコンパクト容器において、化粧用皿の交換時や、コンパクトを誤って落としたような場合に容器本体に直接或いは蓋体に衝撃が加えられた場合にも化粧料用皿に収納されている固形の化粧料が崩れたり、割れたりするのを有効に防ぐことができる。
【図面の簡単な説明】
【００１２】
【図１】本発明における実施の形態についての分解した状態を示す斜視図。
【図２】図１に示した実施の形態に用いられている保持部材の平面図。
【図３】図２に示した保持部材の縦断面図。
【図４】図１に示した実施の形態における要部についての拡大部分縦断面図。
【発明を実施するための形態】
【００１３】
以下に、図面を参照して本発明を実施するための最良の形態を説明する。
【００１４】
図面は粉末を押圧することで固形化した化粧料と、パフなどの化粧具とを収納可能とした形式のコンパクト容器について本発明を実施した場合の最良の形態における一例を示すものであり、コンパクト容器は、主として、収納凹部１１が形成された皿状の容器本体１と、前記容器本体１の収納凹部１１に装着支持された保持部材２と、前記保持部材２に着脱可能に収納された化粧料３１を収納した化粧料皿３と、前記容器本体１における収納凹部１１の周壁１２，１３，１４，１５の上面１６に固着される前記収納凹部１１に装着された保持部材２の化粧料皿収納部２１の露出窓４０を有するカバー４と、前記容器本体１の一部に蝶着されて容器本体１を開閉する蓋体５とから構成される。
【００１５】
そして、前記容器本体１は、従来と同様な例えばポリプロピレンのような適宜の硬質合成樹脂を用いて射出成形などの手段により形成され、互いに対向する長尺の周壁１２，１４と短尺の周壁１３，１５により全体が細長の横長矩形状で皿状の前記収納凹部１１が形成され、一方の長尺の周壁１３には、蓋体５を容器本体１に閉止状態に維持するための係脱自在な一方の係合手段１７が配置されている。
【００１６】
特に、本実施の形態では、前記化粧料３１を収納する化粧料皿３が硬質の合成樹脂製でなく例えばアルミニウムなどの金属板を絞り加工などにより角形の皿状に成型したものであり、化粧料皿３は各周壁３２，３３，３４，３５の各外面に従来のような前記保持部材２へ係止するための例えばプレス加工などにより形成される係止凹部（または凸部）が形成されていない。従って、前記各周壁３２，３３，３４，３５の内面にブレス加工により生じる凸部（または凹部）が出現しておらず、例えば粉末の化粧料３１を投入してブレス加工する際に、化粧料皿３内の化粧料３１に均一な圧力が掛かり、成型された製品の密度分布が均一となって強度の低下を生じないものであるばかりか、絞り加工により皿状に成型したものであって、価格的に安価でもある。尚、化粧料皿３の各周壁３２，３３，３４，３５の開放端縁は外側に折り込まれていて折り返し部３２ａ，３３ａ，３４ａ，３５ａが形成されており、例えば装着時や使用時に手の損傷などを防ぐための安全性が付与されている。
【００１７】
また、容器本体１における収納凹部１１は、中央において化粧料３１を収納した化粧料皿３の収納部１１ａと、パフなどの化粧具（図示せず）の収納部１１ｂとに区分けされている。
【００１８】
さらに、前記容器本体１の収納部１１ａに装着支持される保持部材２は、例えばポリエチレンのような適宜の剛性と弾性を有する合成樹脂材により成形され、全体が前記容器本体１の収納部１１ａに嵌挿される平面が矩形の皿状の外形を呈して化粧皿３の収容部２１を形成するとともに、互いに対向する周壁２２，２３の内面には前記化粧皿３の頂面３６を係止する係止突部２４，２５が形成されているとともに周壁２２の内面に前記収容される化粧料皿３の周壁３２の外周面を押圧する弾性突起２６が突出されている。
【００１９】
更に、前記保持部材２における周壁２２の係止突部２４と弾性突起２６との間部分には周壁２２の幅方向へ延びるスリット２７が形成されており、周壁２３には収容部２１に化粧料皿３を収容したときに化粧料皿３の周壁３３の一部を露出させるための切欠窓２８が形成されている。加えて、保持部材２の底面２９には複数の空隙部２０が形成されて弾性力が強化されている。
【００２０】
尚、前記周壁２２，２３に突設された係止突部２４，２５並びに弾性突起２６は前記適宜の剛性と弾性を有する合成樹脂材により成形される保持部材２に例えばアンダーカット成型などにより一体的に成形することにより容易に製造可能であるが、例えば弾性突起２６などは一体的な成形により形成するものに限るものでなく、保持部材２の成形後に別部材により形成した係止突起２４を付設したものであってもよく、この場合には弾性突起２６の弾性力、即ち、所望の化粧料皿３への押圧力を選択して配置することができる。
【００２１】
また、前記係止突部２４，２５並びに弾性突起２６の突出の高さや化粧料皿３への接触面積も係止突起２４の硬さや弾性或いは対向する化粧料皿３を保持する保持部材２の材質などに応じて適正なものを適宜選択することにより化粧料皿３を確実に保持するように設計する。
【００２２】
また、前記容器本体１における収納凹部１１の周壁１２，１３，１４，１５の上面１８に固着される前記収納凹部１１に装着された保持部材２の化粧料皿収納部２１を露出するカバー４は、例えば容器本体１或いは保持部材２と同様な材質により成形されており、前記容器本体１の収納凹部１１における化粧具（図示せず）の収納部１１ｂを形成する周壁４２，４３，４４を垂設しているとともに、中央に前記保持部材２の周壁２３側の角部２３ａ，２３ａの外面に突設した突片からなる支持部２３ｂ，２３ｂの頂面に形成した係止凹部２３ｃ，２３ｃにそれぞれ差し込み支持する係止凸部４１，４１を裏面に形成した突片からなる支持部４２，４２が突設されている。
【００２３】
尚、画面中、符号６は前記保持部材２における化粧皿３の収容部２１に敷設された弾性シートである。
【００２４】
このような本実施の形態は、始めに容器本体１に形成された収納凹部１１の化粧料３１の収納部１１ａに保持部材２を嵌挿し、カバー４をその裏面に突設した係止凸部４５ａ，４５ａを前記保持部材２の周壁２３側の角部２３ａ，２３ａの外面に突設した突片からなる支持部２３ｂ，２３ｂの頂面に形成した係止凹部２３ｃ，２３ｃに差し込み係止して容器本体１の収納凹部１１を形成する周壁１２，１３，１４，１５の上面１８に被せて高周波や接着などの周知手段により固着することにより、保持部材２と容器本体１の収納凹部１１との間に形成される隙間を隠すとともに保持部材２の周壁２３を一部として化粧具の収納部１１ｂが形成される。
【００２５】
そして、前記カバー４に形成した露出窓４０を介して露出している保持部材２の化粧料皿収納部２１に化粧料皿３が着脱自在に装着され、必要であれば、収納部１１２に化粧具（図示せず）を収納して蓋体５を閉じて製品とされる。
【００２６】
このとき、本実施の形態は、保持部材２の周壁２１に突設された弾性突起２４より化粧料３１を収容した金属製の化粧料皿３を弾性保持させるようにしたことにより、金属製の化粧料皿３における周壁３２，３３，３４，３５の外周および内周に係止凸部や係止凹部を有していない安価でプレス成形により成型された製品の密度分布が均でひび割れが生じにくい安価な金属製の交換可能な化粧料皿を用いることが可能となる。
【００２７】
さらに、交換のために収納部に着脱される化粧料皿の外形寸法に対する寸法吸収性やクッション性が高められるばかりか、保持部材２がカバー４に形成した係止凸部４２，４２を介して弾性脚片２３ｂ，２３ｂにより容器本体１に装着、支持されているとともに保持部材２の底面に形成した空隙部２６が形成されて底面が弾性を有し、更に弾性シート６が敷設されているのできわめて大きな耐衝撃性を有しており、衝撃を吸収し難い金属製の化粧料皿３を用いたとしても製造時や使用時更には交換時において生じる衝撃に対処することができる。
【００２８】
特に、化粧料３１を使い切ったときに従来のこの種のコンパクト容器と同様に化粧料皿３ごと交換可能なものであり、交換操作も従来のものと同じく例えば保持部材２の低く形成した周壁２２に露出している化粧料皿３の側壁３２を周壁２２に加わる押圧力に抗して押し上げることにより保持部材２自身が有する弾性力やアンダーカットにより形成される係止突部２４，２５を利用して係脱すればよい。殊に本実施の形態では、保持部材２の周壁２２にスリット２７が形成されているので周壁２２がより変形しやすく交換が容易である。
【００２９】
尚、本実施の形態は一例であって、保持部材２の周壁２１に突設された弾性突起２４より化粧料３１を収容した金属製の化粧料皿３を弾性保持させるものであればよく、保持部材２の容器本体への取り付け手段や保持部材２の底面２６の構成や弾性シート６などは更に耐衝撃性を増すためのものであって、これらの手段を必須とするわけではない。
【００３０】
以上説明した本実施の形態は、従来のコンパクト容器と同様に蓋体５を開放して使用するが、誤って落としたり、化粧料皿３の脱着時や蓋体５の開閉時に容器本体１に衝撃が加わったとしても、化粧料皿３を収納している保持部材２が支持部２６，２６により容器本体１の所定の空間位置に浮いた状態で装着させているので衝撃力が吸収されて化粧料皿３内の化粧料３１が割れたり、崩れたりするのを防ぐことができる。
【００３１】
また、本実施の形態は化粧料と、パフなどの化粧具とを収納可能とした形式のコンパクト容器に関するものであるが、本発明は、化粧料３１を収納した化粧皿３を支持する保持部材２を有するものであれば他の形式のコンパクト容器についても同様に実施することができることはいうまでもない。
【符号の説明】
【００３２】
１  容器本体、２  保持部材、３  化粧料皿、４  カバー、  ５  蓋体、６  弾性シート、１１  収納凹部、２０  空隙部、２２，２３  周壁、２４，２５  係止突部、２６  弾性突起、２７  スリット、２９  底面、３１  化粧料、３２，３４  周壁、３６  頂面
【図１】
2010246708.tif 000003
【図２】
2010246708.tif 000004
【図３】
2010246708.tif 000005
【図４】
2010246708.tif 000006